(57)【要約】【課題】遠隔から遮断弁を閉じる操作を行う上で、利用者に対して適切な使用を促す仕組みを提供すること。【解決手段】画面５２０の「確認する」ボタンを選択すると、計測装置２００でガスや水道の流量値が計測されれば画面５３０へ遷移する。画面５３０には、「遮断する」ボタン、「電話する」ボタン、「戻る」ボタンが表示されており、「遮断する」ボタンを入力部３２０から選択すると、遮断部２３０はガスや水道を遮断し、その完了通知として画面５５０を表示する。【選択図】図５
2018036050.tif 000002
【特許請求の範囲】
【請求項１】
流体の計測を行う計測装置と直接的または間接的に通信接続する携帯端末において、
前記計測装置に対する遠隔操作の操作内容を表示する表示部と、
前記表示部に表示された操作内容を選択する入力部とを備え、
前記表示部は、前記計測装置による流量確認のための操作内容を表示した第１画面を表示した後に前記入力部により流量確認のための操作内容が選択されると、前記計測装置による流量有りが確認された場合にのみ前記計測装置による前記流体の供給を遮断するための操作内容を表示した第２画面を表示することを特徴とする携帯端末。
【請求項２】
前記表示部は、前記第１画面を表示した後に前記入力部により流量確認が選択され、前記計測装置による流量有りが確認されなかった場合であって、過去に前記第２画面から前記入力部により遮断が選択された場合は、遮断復帰するための操作内容を表示した第３画面を表示することを特徴とする、請求項１記載の携帯端末。
【請求項３】
前記表示部は、前記入力部により遮断復帰するための操作内容が選択された場合、遮断復帰するための説明内容を示した説明画面を表示することを特徴とする、請求項２記載の携帯端末。
【請求項４】
流体の計測を行う計測装置と直接的または間接的に通信接続する携帯端末における操作方法であって、
前記計測装置に対する遠隔操作の操作内容を表示する表示部に、前記計測装置による流量確認のための操作内容を表示した第１画面を表示するステップと、
前記表示部に表示された操作内容を選択する入力部により、前記流量確認のための操作内容が選択されるか否かを確認するステップと、
前記入力部により流量確認が選択されると、前記計測装置による流量が確認された場合にのみ前記計測装置による前記流体の供給を遮断するための操作内容を表示した第２画面を表示するステップから構成される携帯端末における操作方法。
【請求項５】
流体の計測を行う計測装置と直接的または間接的に通信接続する携帯端末を制御する演算部を、
記計測装置に対する遠隔操作の操作内容を表示する表示部に、前記計測装置による流量確認のための操作内容を表示した第１画面を表示させる手段、
前記表示部に表示された操作内容を選択する入力部により、前記流量確認のための操作内容が選択されるか否かを確認させる手段、
前記入力部により流量確認が選択されると、前記計測装置による流量が確認された場合にのみ前記計測装置による前記流体の供給を遮断するための操作内容を表示した第２画面を表示させる手段、
として機能させるためのプログラム。
【発明の詳細な説明】
【技術分野】
【０００１】
本発明は、ガスや水道などの流体の供給を遠隔操作により遮断するための携帯端末に関する。
【背景技術】
【０００２】
従来、遠隔操作システムは管理装置と計測装置とがインターネットで接続され、携帯電話やＰＨＳ端末など携帯端末によって遠隔操作が可能となり、例えば携帯端末から遠隔操作信号として遮断弁の停止要求を送信することにより、計測装置に備わる遮断弁を閉じ、ガスの供給を止めることができた（例えば、特許文献１参照）。
【先行技術文献】
【特許文献】
【０００３】
【特許文献１】特開２００３−１９６７７４号公報
【発明の概要】
【発明が解決しようとする課題】
【０００４】
しかしながら、利用者が遠隔から遮断弁を閉じることにより、外出先からガス機器の消し忘れに対応できるなどの効果があるが、安易な遮断弁の操作は計測装置の電池消耗に繋がり、ガス漏れ等の異常を検知した際に遮断できないといった事態が起きる可能性がある。
【０００５】
本発明は、遠隔から遮断弁を閉じる操作を行う上で、利用者に対して適切な使用を促すことを課題とする。
【課題を解決するための手段】
【０００６】
前記従来の課題を解決するために、本発明の携帯端末は、流体の計測を行う計測装置と直接的または間接的に通信接続する携帯端末において、前記計測装置に対する遠隔操作の操作内容を表示する表示部と、前記表示部に表示された操作内容を選択する入力部とを備え、前記表示部は、前記計測装置による流量確認のための操作内容を表示した第１画面を表示した後に前記入力部により流量確認のための操作内容が選択されると、前記計測装置による流量有りが確認された場合にのみ前記計測装置による前記流体の供給を遮断するための操作内容を表示した第２画面を表示することを特徴とするものである。
【０００７】
これによれば、流量が確認できた場合にのみガスや水道の供給遮断を実行させるためのボタンが表示されるので、常に遮断を実行させるためのボタンが表示されている場合と比較して、利用者はむやみに遮断を実行しなくなる。
【発明の効果】
【０００８】
本発明の携帯端末によると、流量が確認できた場合にのみガスや水道の供給遮断を実行させるためのボタンが表示されるので、常に遮断を実行させるためのボタンが表示されている場合と比較して、利用者はむやみに遮断を実行しなくなる。従って、計測装置の電池消耗を防止できる。
【図面の簡単な説明】
【０００９】
【図１】本発明の実施の形態における遠隔操作システムの全体の構成例を示す図
【図２】本発明の実施の形態における管理装置の構成例を示す図
【図３】本発明の実施の形態における計測装置の構成例を示す図
【図４】本発明の実施の形態における携帯端末の構成例を示す図
【図５】本発明の実施の形態における携帯端末の表示画面の遷移を示す図
【図６】本発明の実施の形態における遠隔操作システムのシーケンス図
【図７】本発明の実施の形態における携帯端末の表示画面の遷移を示す図
【発明を実施するための形態】
【００１０】
第１の発明は、流体の計測を行う計測装置と直接的または間接的に通信接続する携帯端末において、前記計測装置に対する遠隔操作の操作内容を表示する表示部と、前記表示部に表示された操作内容を選択する入力部とを備え、前記表示部は、前記計測装置による流量確認のための操作内容を表示した第１画面を表示した後に前記入力部により流量確認のための操作内容が選択されると、前記計測装置による流量有りが確認された場合にのみ前記計測装置による前記流体の供給を遮断するための操作内容を表示した第２画面を表示することを特徴とするものである。
【００１１】
これによれば、流量が確認できた場合にのみ流量遮断を実行させるためのボタンが表示されるので、常に流量遮断を実行させるためのボタンが表示されている場合と比較して、利用者はむやみに流量遮断を実行しなくなる。従って、計測装置の電池消耗を防止できる。
【００１２】
第２の発明は、特に第１の発明の表示部において、前記第１画面を表示した後に前記入力部により流量確認が選択され、前記計測装置による流量有りが確認されなかった場合であって、過去に前記第２画面から前記入力部により遮断が選択された場合は、遮断復帰するための操作内容を表示した第３画面を表示することを特徴とするものである。
【００１３】
これによれば、利用者は自ら流量を遮断したことを忘れていたとしても確実に思い出し、遮断復帰作業が実行される。
【００１４】
第３の発明は、特に第２の発明の表示部において、前記入力部により遮断復帰するための操作内容が選択された場合、遮断復帰するための説明内容を示した説明画面を表示することを特徴とするものである。
【００１５】
これによれば、遮断復帰という日頃行われない操作であっても、利用者は戸惑うことなく容易に遮断復帰できる。
【００１６】
第４の発明は、流体の計測を行う計測装置と直接的または間接的に通信接続する携帯端末における操作方法であって、前記計測装置に対する遠隔操作の操作内容を表示する表示部に、前記計測装置による流量確認のための操作内容を表示した第１画面を表示するステップと、前記表示部に表示された操作内容を選択する入力部により、前記流量確認のための操作内容が選択されるか否かを確認するステップと、前記入力部により流量確認が選択されると、前記計測装置による流量が確認された場合にのみ前記計測装置による前記流体の供給を遮断するための操作内容を表示した第２画面を表示するステップから構成されるものである。
【００１７】
これによれば、流量が確認できた場合にのみ流量遮断を実行させるためのボタンが表示されるので、常に流量遮断を実行させるためのボタンが表示されている場合と比較して、利用者はむやみに流量遮断を実行しなくなる。
【００１８】
第５の発明は、流体の計測を行う計測装置と直接的または間接的に通信接続する携帯端末を制御する演算部を、記計測装置に対する遠隔操作の操作内容を表示する表示部に、前記計測装置による流量確認のための操作内容を表示した第１画面を表示させる手段、前記
表示部に表示された操作内容を選択する入力部により、前記流量確認のための操作内容が選択されるか否かを確認させる手段、前記入力部により流量確認が選択されると、前記計測装置による流量が確認された場合にのみ前記計測装置による前記流体の供給を遮断するための操作内容を表示した第２画面を表示させる手段、として機能させるためのプログラムに関するものである。
【００１９】
これによれば、流量が確認できた場合にのみ流量遮断を実行させるためのボタンが表示されるので、常に流量遮断を実行させるためのボタンが表示されている場合と比較して、利用者はむやみに流量遮断を実行しなくなる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態における遠隔操作システムの全体の構成例であり、管理装置１００、計測装置２００および携帯端末３００とから構成される。
【００２２】
管理装置１００は、水道やガス会社といったユーティリティ企業が運営、管理するサーバであり、検針センターや管理センター、監視センターと呼ばれることもある。
【００２３】
計測装置２００は、ガスや水道などの流体を計測するものであり、ガスメータや水道メータを指す。
【００２４】
携帯端末３００は、スマートフォンやタブレット、ＰＣなどの電子機器を指し、特に有線通信または無線通信を介して管理装置１００や計測装置と種々の情報のやりとりが可能なものを想定している。
【００２５】
図２は、管理装置１００の構成例を示す。管理装置１００は、通信部１１０、記憶部１２０、制御部１３０から構成される。
【００２６】
通信部１１０は、前述した銀行や決済手続き会社が保有するサーバ、あるいは計測装置２００、携帯端末３００と有線通信または無線通信により通信する。記憶部１２０は、通信先となる計測装置２００や携帯端末３００のアドレスを記憶する。また、記憶部１２０は、計測装置２００が備え付けられている住宅の利用者に関する契約情報や、使用流量に関する情報を記憶する。制御部１３０は、通信部１１０、記憶部１２０を制御している。
【００２７】
図３は、計測装置２００の構成例を示す。計測装置２００は、通信部２１０、流量計測部２２０、遮断部２３０、制御部２４０を備える。
【００２８】
通信部２１０は、管理装置１００と有線通信または無線通信により通信する。流量計測部２２０は、ガスや水道の流量を計測する機能を有し、ガスを計測する場合であれば膜式あるいは超音波の伝搬時間を用いた超音波式など、既存のガス流量計測方式を採用することで実現される。遮断部２３０は、ガスや水道の流量を遮断する遮断弁である。制御部２４０は、通信部２１０、流量計測部２２０、遮断部２３０を制御する。
【００２９】
図４は、携帯端末３００の構成例を示す。携帯端末３００は、通信部３１０、入力部３２０、表示部３３０、制御部３４０を備える。
【００３０】
通信部３１０は、管理装置１００と無線通信により通信する。入力部３２０は、数値や文字を入力するボタンであったり、表示部３３０に表示される選択項目を選択する際に使
用する。表示部３３０は、ディスプレイであり種々の情報を表示する。制御部３４０は、通信部３１０、入力部３２０、表示部３３０を制御する。
【００３１】
なお、近年では入力部３２０と表示部３３０が一体となったタッチパネルが主流となっており、入力部３２０と表示部３３０をタッチパネルで構成してもよい。
【００３２】
図５は、表示部３３０に表示される画面の遷移を示す図であり、計測装置２００がガスメータである場合について説明する。まず、制御部３４０はメニュー画面として画面５１０を表示部３３０に表示させ、利用者にガスメータに関わる各種のメニューを提供する。メニュー画面の一部には操作内容の表示と入力（選択）を兼用する「ガス使用確認」ボタンを設けている。この「ガス使用確認」ボタンは計測装置２００で計測されるガスの使用状況を確認するためのボタンであり、ガスを遮断する場合に選択されるボタンである。
【００３３】
画面５１０に表示された「ガス使用確認」ボタンを入力部３２０から選択すると、画面５２０（第１画面）へ遷移する。画面５２０の「確認する」ボタンを選択すると、計測装置２００で計測されたガスの流量値がゼロでなければ画面５３０（第２画面）へ遷移し、計測装置２００でガスの流量値がゼロであれば画面５４０へ遷移する。
【００３４】
画面５３０には、「遮断する」ボタン、「電話する」ボタン、「戻る」ボタンが表示されており、「遮断する」ボタンを入力部３２０から選択すると、遮断部２３０はガスの供給を遮断し、その完了通知として画面５５０を表示する。
【００３５】
「電話する」ボタンは、水道やガス会社といったユーティリティ企業の担当部門へ電話する場合に用いられ、このボタンを選択すると電話番号を入力することなくユーティリティ企業（この場合はガス会社）へ電話がかかる。
【００３６】
画面５４０には、「電話する」ボタン、「戻る」ボタンが表示されており、「遮断する」ボタンは表示されない。これにより、遮断が不要な局面において無駄に遮断操作が実行されることを防ぐことができる。
【００３７】
図６は、図５に示した表示部３３０の表示画面が画面５１０から画面５５０まで遷移する場合の遠隔操作システムのシーケンス図である。画面５２０に表示される「確認する」ボタンが選択されると（ステップＳ１１０）、携帯端末３００から管理装置１００を介して計測装置２００へ流量確認要求が送信される。計測装置２００は流量確認要求を受信すると、流量計測部２２０により流量を計測し（ステップＳ１２０）、その結果を管理装置１００を介して携帯端末３００へ送信する。
【００３８】
携帯端末３００は流量計測部２２０による計測結果を受信すると、画面５３０を作成する（ステップＳ１３０）。そして、画面５３０において「遮断する」ボタンが入力部３２０により選択されると、遮断要求が管理装置１００を介して計測装置２００へ送信される。
【００３９】
計測装置２００は遮断要求を受信すると、遮断部２３０によりガスの供給を遮断し（ステップＳ１４０）、その完了通知を管理装置１００を介して携帯端末３００へ送信する。
【００４０】
完了通知を受信した携帯端末３００は、画面５５０を通じて遮断通知を行う（ステップＳ１５０）。
【００４１】
以上によれば、流量が確認できた場合にのみ遮断を実行させるためのボタンが表示されるので、常に遮断を実行させるためのボタンが表示されている場合と比較して、利用者は
むやみに遮断を実行しなくなる。
【００４２】
なお、図５の画面５４０の変形例として図７のように画面５４１（第３画面）を表示してもよい。図７は、画面５２０において「確認する」ボタンが入力部３２０により選択された後、流量計測部２２０により計測された流量がゼロの場合の表示例である。
【００４３】
画面５４１には、「遮断復帰する」ボタン、「電話する」ボタン、「戻る」ボタンが表示されている。「遮断復帰する」ボタンは、過去に携帯端末３００から「遮断する」ボタンが選択されたことで遮断したことにより流量が計測されなかった場合に表示されるボタンである。
【００４４】
また、過去に携帯端末３００から「遮断する」ボタンが選択されたか否かは携帯端末３００に備わる記憶部に記憶されており、過去に「遮断する」ボタンが選択されたことが確認できない場合は「遮断復帰する」ボタンを表示せず画面５４０を表示するようにする。
【００４５】
そして、画面５４１において「遮断復帰する」ボタンが入力部３２０により選択されると、画面５４２に遷移する。画面５４２は、遮断復帰するための説明画面であり、遮断復帰するための具体的な手順が説明されている。遮断復帰は、日頃行われない操作であるため、こうした説明画面が表示されることで、利用者は容易に遮断復帰することができる。
【００４６】
なお、上記実施の形態では、流体をガス、計測装置をガスメータとして説明したが、流体が水道水であり、計測装置が水道メータの場合でも同様に実施できることは言うまでもない。
【産業上の利用可能性】
【００４７】
以上のように、本発明にかかる遠隔操作システムによると、流量が確認できた場合にのみ遮断を実行させるためのボタンが表示されるので、常に遮断を実行させるためのボタンが表示されている場合と比較して、利用者はむやみに遮断を実行しなくなる。
【符号の説明】
【００４８】
１００  管理装置
２００  計測装置
２２０  流量計測部
２３０  遮断部
３００  携帯端末
３２０  入力部
３３０  表示部
【図１】
2018036050.tif 000003
【図２】
2018036050.tif 000004
【図３】
2018036050.tif 000005
【図４】
2018036050.tif 000006
【図５】
2018036050.tif 000007
【図６】
2018036050.tif 000008
【図７】
2018036050.tif 000009